(57)【要約】【課題】補修用、リフォーム用、保護用等に有用な水切りカバーを提供すること。【解決手段】水切りカバー１は、既設された水切り１１０の突出部１１２の外表面１２１ａ、１２２ａを覆うように水切り１１０に取り付けられる。水切りカバー１は、突出部１１２の上面１１３ａ及び前面１１４ａと当接し、且つ、上面１１３ａ及び前面１１４ａに沿う形状を有する。【選択図】図２
2019163610.tif 000002
【特許請求の範囲】
【請求項１】
既設された水切りの突出部の外表面を覆うように前記水切りに取り付けられる水切りカバーであって、
前記突出部の上面及び前面と当接し、且つ、前記上面及び前記前面に沿う形状を有することを特徴とする水切りカバー。
【請求項２】
前記突出部の下端部に係合可能な下端係合部を有することを特徴とする請求項１に記載の水切りカバー。
【請求項３】
前記突出部の前記前面と当接する前板部を有し、
前記下端係合部は、前記前板部の下端部から斜め上後方へ傾斜して延びていることを特徴とする請求項２に記載の水切りカバー。
【請求項４】
上下方向に延びる上方垂直板部と、
前記上方垂直板部の下方の位置から斜め下前方へ傾斜して延び、前記突出部の前記上面と当接する傾斜板部と、
前記傾斜板部の前端部から下方へ延び、前記突出部の前記前面と当接する前板部と、
前記前板部の下端部から後方へ延び、前記下端係合部を形成している下板部と、を有することを特徴とする請求項２又は３に記載の水切りカバー。
【請求項５】
前記水切りは、
上下方向に延び、建物の垂直面に固定された取付板部と、
前記取付板部の下方の位置から斜め下前方へ傾斜して延び、前記突出部の前記上面が形成された雨水案内板部と、
前記雨水案内板部の前端部から下方へ延び、前記突出部の前記前面が形成された前垂れ板部と、
前記前垂れ板部の下端部から後方へ延び、複数の貫通孔が形成された底板部と、を有し、
前記下板部は、前後方向において、前記底板部の前端と、前記複数の貫通孔との間の部分に係合可能であることを特徴とする請求項４に記載の水切りカバー。
【発明の詳細な説明】
【技術分野】
【０００１】
本発明は、木造住宅等の建物に固定される水切りに取り付けられる、水切りカバーに関する。
【背景技術】
【０００２】
一般的に、木造住宅等では、外壁から伝わった雨が、基礎の上方に設けられた土台等に侵入しないように、外部回りに水切りが設けられている。水切りは土台に取り付けられ、その後土台を覆うように外壁等が取り付けられて、木造住宅等の施工が進められる。
【０００３】
上記のような水切りの一例として、特許文献１には、内部水切りカバーと外部水切りカバーとを有する水切りが開示されている。内部水切りカバーは、ほぼクランク状の部材であり、上端部が土台に固定されている。外部水切りカバーは、クランク状の部材である。外部水切りカバーの上部は、外面に外壁が取り付けられる木下地の下部外側部分に取り付けられている。外部水切りカバーの下部は、内部水切りカバーの下部に嵌合あるいは固定されている。
【先行技術文献】
【特許文献】
【０００４】
【特許文献１】特開２００７−５１４７０号公報
【発明の概要】
【発明が解決しようとする課題】
【０００５】
上述したように、特許文献１に記載のような水切りが土台に固定された後に、外壁の取付等の他の施工が行われる。このため、木造住宅等の完成時までに、水切りの表面に傷や汚れ或いは変形等が生じて、外観を損ねるおそれがある。特に、玄関回りの袖壁周辺においては、施工時に作業者の動線として頻繁に行き来が行われるために、袖壁に取り付けられる水切りに傷や汚れが付きやすく、完成時に目立つおそれがある。しかしながら、既設された水切りを綺麗なものに取り換えるとなると大層困難な作業となる。また、このように傷等が付いた水切りを補修するための適当な部材がないのが現状である。
【０００６】
本発明の目的は、補修用、リフォーム用、保護用等に有用な水切りカバーを提供することである。
【課題を解決するための手段】
【０００７】
本発明の水切りカバーは、既設された水切りの突出部の外表面を覆うように前記水切りに取り付けられる水切りカバーであって、前記突出部の上面及び前面と当接し、且つ、前記上面及び前記前面に沿う形状を有する。
【０００８】
本発明では、水切りカバーの形状が、水切りの突出部の上面及び前面と当接し、且つ、上面及び前面に沿うものとなっている。これにより、突出部の上面や前面が配置された位置から水切りカバーがさらに突出することを抑制できる。このため、水切りの外観を損ねることを抑制できるので、建物の完成後に、例えば補修用又はリフォーム用に水切りカバーを用いることができる。また、建物の施工の際には、水切りカバーを水切りに取り付けても施工の邪魔となることを抑制できるので、例えば水切りの突出部の表面を護る保護用として水切りカバーを用いることもできる。したがって、補修用、リフォーム用、保護用等に有用な水切りカバーを提供することができる。
【０００９】
また、本発明において、前記突出部の下端部に係合可能な下端係合部を有することが好ましい。これにより、水切りカバーを突出部の上面及び前面と当接させた状態で下端係合部を突出部の下端部に係合させることで、建物が完成した後であっても、例えば補修用又はリフォーム用に、水切りカバーを簡易に取り付けることができる。また、例えば保護用として水切りカバーを取り付けた場合には、建物が完成した後に、水切りカバーを簡易に取り外すことができる。また、水切りカバーが水切りから意図せず外れたり、前板部が突出部の前面から浮き上がったりすること等を抑制できる。
【００１０】
また、本発明において、前記突出部の前記前面と当接する前板部を有し、前記下端係合部は、前記前板部の下端部から斜め上後方へ傾斜して延びていることが好ましい。これにより、前板部と下端係合部とが鋭角をなすように下端係合部が形成されているので、下端係合部を突出部の下端部にしっかり係合させることができる。したがって、簡易な構成で、水切りカバーが水切りから意図せず外れたり、前板部が突出部の前面から浮き上がったりすること等を抑制できる。
【００１１】
また、本発明において、上下方向に延びる上方垂直板部と、前記上方垂直板部の下方の位置から斜め下前方へ傾斜して延び、前記突出部の前記上面と当接する傾斜板部と、前記傾斜板部の前端部から下方へ延び、前記突出部の前記前面と当接する前板部と、前記前板部の下端部から後方へ延び、前記下端係合部を形成している下板部と、を有することが好ましい。これにより、上方垂直板部から下板部に亘って、水切りカバーを一体的に形成することができる。このため、水切りカバーが複数の部材で形成されている場合と比べて、製造時の手間を抑制できる。また、例えば、水切りが板金加工によって製造されている場合には、水切りに用いられる金型と同じ金型を用いて、板金加工によって水切りカバーを製造することができるので、製造コストを削減することができる。
【００１２】
また、本発明において、前記水切りは、上下方向に延び、建物の垂直面に固定された取付板部と、前記取付板部の下方の位置から斜め下前方へ傾斜して延び、前記突出部の前記上面が形成された雨水案内板部と、前記雨水案内板部の前端部から下方へ延び、前記突出部の前記前面が形成された前垂れ板部と、前記前垂れ部の下端部から後方へ延び、複数の貫通孔が形成された底板部と、を有し、前記下板部は、前後方向において、前記底板部の前端と、前記複数の貫通孔との間の部分に係合可能であることが好ましい。これにより、下板部の長さを適切にすることで、下板部が複数の貫通孔を覆ってしまうことを防止できる。したがって、水切りの通気機能等を阻害することなく、水切りカバーを水切りに取り付けることができる。
【図面の簡単な説明】
【００１３】
【図１】本発明の一実施形態に係る水切りカバーが建物の水切りに取り付けられた状態を示す概略断面図である。
【図２】図１の拡大図である。
【図３】水切りの一部の平面図である。
【図４】水切りカバーの斜視図である。
【図５】水切りカバーの右側面図である。
【図６】水切りカバーの正面図（参照用）である。
【図７】水切りカバーの背面図（参照用）である。
【図８】水切りカバーの平面図（参照用）である。
【図９】水切りカバーの底面図（参照用）である。
【図１０】水切りカバーの右側面図（参照用）である。
【図１１】完成後の建物の水切りに水切りカバーを取り付ける手順を示す図である。
【図１２】水切りカバーの着脱の手順を示す図である。
【図１３】変形例に係る水切りカバーの斜視図である。
【図１４】変形例に係る水切りカバーの右側面図である。
【図１５】変形例に係る水切りカバーの正面図（参照用）である。
【図１６】変形例に係る水切りカバーの背面図（参照用）である。
【図１７】変形例に係る水切りカバーの平面図（参照用）である。
【図１８】変形例に係る水切りカバーの底面図（参照用）である。
【図１９】変形例に係る水切りカバーの右側面図（参照用）である。
【発明を実施するための形態】
【００１４】
次に、本発明の一実施形態に係る水切りカバーについて、図１〜図１２を参照しながら説明する。なお、説明の便宜上、図１の紙面垂直方向を方向Ａとする。図１の紙面左右方向を前後方向（方向Ｂ）とする。図１の紙面上下方向を上下方向（方向Ｃ）とする。方向Ｂにおいて、建物１００の屋外側を前方、屋内側を後方とする。
【００１５】
図１は、本発明の一実施形態に係る水切りカバー１が建物１００の水切り１１０に取り付けられた状態を示す概略断面図である。本実施形態における建物１００は、基礎１０１と、基礎パッキン１０２と、土台１０３と、竪胴縁１０４と、外壁材１０５等を有する。
【００１６】
基礎１０１は、地面（不図示）から上方に立ち上がって形成されており、方向Ａにおいて長尺に延在している。基礎１０１の屋外側の側面１０１ａには、化粧モルタル１０６が形成されている。基礎パッキン１０２は、方向Ａに沿って長尺に形成されており、基礎１０１上に設置されている。また、基礎パッキン１０２には、屋外側と屋内側とを連通させるための複数の換気孔１０２ａが形成されている。複数の換気孔１０２ａは、方向Ａに沿って互いに離隔して形成されている。土台１０３も、方向Ａに沿って長尺に形成されており、基礎パッキン１０２の上に設置されている。竪胴縁１０４は、方向Ｃに沿って長尺に延在している。竪胴縁１０４は、土台１０３の側面１０３ａとの間に透湿防水シート１０９を挟んだ状態で、釘等によって間柱（不図示）に固定されている。外壁材１０５は、釘等によって竪胴縁１０４に固定されている。これにより、方向Ｂにおいて、土台１０３と外壁材１０５の間には、通気層１０７が形成されている。外壁材１０５の後面の下端部には、通気層１０７への虫等の侵入を防ぐ防虫網１０８が取り付けられている。土台１０３の側面１０３ａには、雨水などの浸入を防ぐための複数の水切り１１０が、方向Ａに沿って並べて取り付けられている。水切り１１０には、水切りカバー１が取り付けられている。水切りカバーの詳細については後述する。
【００１７】
次に、水切り１１０の構成について、図２及び図３を用いて説明する。図２は、水切り１１０及びその周辺の拡大図である。図３は、水切り１１０の一部の平面図である。
【００１８】
水切り１１０は、建物１００の施工の際に、竪胴縁１０４や外壁材１０５等の取付に先立って、土台１０３の側面１０３ａの下側部分に固定される部材である。水切り１１０は、雨水等が基礎１０１や土台１０３等に侵入することを防ぐためのものである。水切り１１０は、例えば、１枚の板金をプレス加工することで形成されているが、これに限られるものではない。図２に示すように、水切り１１０は、土台１０３に取り付けられている取付板部１１１と、取付板部１１１の下端部から前方に突出した突出部１１２とを有する。突出部１１２は、上部１１３（雨水案内板部１２１）と、前部１１４（前垂れ板部１２２）と、下部１１５（底板部１２３）とを有する。
【００１９】
取付板部１１１は、方向Ａ及び方向Ｃ（上下方向）に沿って延びており、土台１０３に不図示の釘等で固定されている。これにより、取付板部１１１は、土台１０３の側面１０３ａ（言い換えると、建物１００の垂直面）に固定されている。取付板部１１１の前面１１１ａには、例えば不図示の両面テープが方向Ａに沿って貼られており、上述した透湿防水シート１０９が、両面テープを介して取付板部１１１に固定されている。
【００２０】
突出部１１２の上部１１３（雨水案内板部１２１）は、取付板部１１１の下端部から斜め下前方へ傾斜して延びている。雨水案内板部１２１の外表面１２１ａは、突出部１１２の上面１１３ａを形成している。突出部１１２の前部１１４（前垂れ板部１２２）は、雨水案内板部１２１の前端部から下方へ延びている。前垂れ板部１２２の外表面１２２ａは、突出部１１２の前面１１４ａを形成している。
【００２１】
突出部１１２の下部１１５（底板部１２３）は、前垂れ板部１２２の下端部から後方に延びている。底板部１２３は、前垂れ板部１２２の下端から上方に折り返されて形成された第１折り返し部１２３ａと、第１折り返し部１２３ａの上端から後方に向かって概ね水平に延びた水平部１２３ｂと、水平部１２３ｂの後端から前方に折り返されてなる第２折り返し部１２３ｃとを有する。水平部１２３ｂは、鼠等の侵入を防ぐ防鼠として機能する。水平部１２３ｂの前側部分には、図３に示すように、方向Ａに沿って互いに離隔して配置された複数の換気孔１２３ｄ（本発明の貫通孔）が形成されている。これにより、換気孔１２３ｄ及び基礎パッキン１０２の換気孔１０２ａによって、屋外側と屋内側とを連通させることができ、屋内側を換気することができる。換気孔１２３ｄは、方向Ｂ（前後方向）において、第１折り返し部１２３ａの後方に形成されている。言い換えると、方向Ｂにおいて、第１折り返し部１２３ａは、底板部１２３の前端と換気孔１２３ｄとの間に形成されている。
【００２２】
上記のような構成を有する水切り１１０において、外壁材１０５を伝って雨水案内板部１２１の上に落ちた雨水は、前垂れ板部１２２へ案内され、前垂れ板部１２２を伝って下方に落ちる。これにより、雨水等が基礎１０１や土台１０３等に侵入することを防ぐことができる。
【００２３】
ところで、水切り１１０は、上述したように、建物１００の施工にあたって土台１０３に固定される。つまり、水切り１１０が土台１０３に固定された後に、外壁材１０５の取付等が行われる。このため、建物１００の完成時までに、水切り１１０の表面に傷や汚れ或いは変形等が生じて、外観を損ねるおそれがある。しかしながら、既設された水切り１１０を綺麗なものに取り換えるとなると、大層困難な作業となる。そこで、本実施形態においては、以下に述べるような水切りカバー１が用いられる。
【００２４】
水切りカバー１の詳細について、図２、図４及び図５を用いて説明する。図４は、水切りカバー１の斜視図である。図５は、水切りカバー１の右側面図である。
【００２５】
水切りカバー１は、既設された水切り１１０に取り付けられる長尺の部材であり、主に突出部１１２の外表面（外表面１２１ａ、１２２ａ）を覆うためのものである。水切りカバー１は、水切り１１０と同様に、雨水等が基礎１０１や土台１０３等に侵入することを防ぐ水切り材である。水切りカバー１は、例えば、水切り１１０と同様に１枚の板金をプレス加工して形成されている。水切りカバー１は、水切り１１０に取り付けられた状態で、方向Ａに沿って長く延びている。図２、図４、及び図５に示すように、水切りカバー１は、上方垂直板部１１と、傾斜板部１２と、前板部１３と、下板部１４とを有する。以下、水切りカバー１が水切り１１０に取り付けられた状態での各構成要素の配置等について説明する。
【００２６】
上方垂直板部１１は、方向Ａから見たときに、方向Ｃ（上下方向）に沿って延びている。図２に示すように、上方垂直板部１１は、水切り１１０の取付板部１１１に沿う形状を有している。上方垂直板部１１は、例えば不図示のビス等によって、前方から土台１０３に固定される。上方垂直板部１１の上下方向における長さは、水切り１１０の突出部１１２の上部１１３と竪胴縁１０４との隙間よりも短く、且つ、上部１１３と外壁材１０５との隙間よりも短い。これにより、上方垂直板部１１は、方向Ｂ（前後方向）において上記の隙間を容易に通過可能となっている。このため、建物１００の完成後であっても、水切りカバー１を水切り１１０に容易に取り付けることができる。また、建物１００の施工の際に水切りカバー１を予め水切り１１０に取り付けておき、建物１００の完成後に水切りカバー１を容易に取り外すこともできる。
【００２７】
傾斜板部１２は、上方垂直板部１１の下端部から斜め下前方へ傾斜して延びている。図２に示すように、傾斜板部１２は、水切り１１０の雨水案内板部１２１の外表面１２１ａ（すなわち、突出部１１２の上面１１３ａ）と当接し、且つ、上面１１３ａに沿う形状を有する。つまり、傾斜板部１２は、突出部１１２の上部１１３と相似形状を有する。傾斜板部１２の内表面１２ａが、上面１１３ａと接触する。前板部１３は、傾斜板部１２の前端部から下方へ延びている。前板部１３は、水切り１１０の前垂れ板部１２２の外表面１２２ａ（すなわち、突出部１１２の前面１１４ａ）と当接し、且つ、前面１１４ａに沿う形状を有する。つまり、前板部１３は、突出部１１２の前部１１４と相似形状を有する。前板部１３の内表面１３ａが、前面１１４ａと接触する。
【００２８】
下板部１４は、前板部１３の下端部から斜め上後方へ傾斜して延びている（すなわち、方向Ａから見たときに、前板部１３と下板部１４とが鋭角をなしている）。これにより、図２に示すように、下板部１４は、水切り１１０の突出部１１２の底板部１２３（より具体的には、前後方向において底板部１２３の前端と換気孔１２３ｄとの間に配置された第１折り返し部１２３ａ）に係合可能となっている。つまり、下板部１４によって、突出部１１２の下端部に係合可能な下端係合部１５が形成されている。突出部１１２の下端部とは、例えば水平部１２３ｂよりも下側の部分を指すが、これに限られるものではない。
【００２９】
ここで、下板部１４の上下方向における長さは、第１折り返し部１２３ａの上下方向における長さよりも短い。また、下板部１４の後端は、第１折り返し部１２３ａよりもわずかに後方へ延びるにとどまっている。つまり、下板部１４は、第１折り返し部１２３ａに係合可能であるために必要な長さを有しているが、必要以上に長くなってはいない。これにより、換気孔１２３ｄが下板部１４によって覆われることが防止され、換気孔１２３ｄによる通気機能等が阻害されることが抑制される。
【００３０】
次に、水切りカバー１の寸法について説明する。水切りカバー１の延在方向（方向Ａ）における長さは、例えば２０００ｍｍである。水切りカバー１を構成する板金の厚みは、例えば０．３５ｍｍである。なお、長さや厚みは、これに限られない。また、方向Ａから見たとき（図５参照）の寸法の一例について説明する。上方垂直板部１１の上下方向における長さＬ１１は、例えば１０ｍｍである。傾斜板部１２の上下方向における長さＬ１２は、例えば９ｍｍである。前板部１３の上下方向における長さＬ１３は、例えば３１．７ｍｍである。下板部１４の長さＬ１４は、例えば５．５ｍｍである。傾斜板部１２の前後方向における長さＬ１５は、例えば４５ｍｍである。また、上方垂直板部１１と傾斜板部１２とのなす角θ１１の大きさは、例えば１０１．５°である。傾斜板部１２と前板部１３とのなす角θ１２の大きさは、例えば１００．５°である。前板部１３と下板部１４とのなす角θ１３の大きさは、例えば６０°である。
【００３１】
なお、参照用に、水切りカバー１の正面図（図６参照）、背面図（図７参照）、平面図（図８参照）、底面図（図９参照）、及び、右側面図（図１０参照）をそれぞれ示す。左側面図（図示省略）は、右側面図と対称である。
【００３２】
次に、以上の構成を有する水切りカバー１の使用方法について、図１１及び図１２を用いて説明する。図１１（ａ）〜（ｃ）は、完成後の建物１００の水切り１１０に水切りカバー１を取り付ける手順を示す図である。図１２（ａ）〜（ｄ）は、建物１００の施工の際に水切りカバー１を使用する場合の、水切りカバー１の着脱の手順を示す図である。
【００３３】
まず、例えば補修用、リフォーム用等に水切りカバー１を用いる場合（つまり、完成後の建物１００の水切り１１０に水切りカバー１を取り付ける場合）の使用方法について説明する。初期状態として、図１１（ａ）に示すように、完成した建物１００が建っており、土台１０３に水切り１１０が固定されている。この状態で、不図示の作業者は、水切りカバー１を前方から水切り１１０に近づけていく（図１１（ａ）の二点鎖線参照）。その際、上方垂直板部１１は、水切り１１０の突出部１１２と外壁材１０５等との間に形成された隙間を容易に通過できる。次に、作業者は、水切りカバー１の下端係合部１５を水切り１１０の第１折り返し部１２３ａに係合させ（図１１（ｂ）参照）、傾斜板部１２及び前板部１３を水切り１１０の突出部１１２の外表面１２１ａ、１２２ａに当接させる（図１１（ｃ）参照）。その後、不図示のビス等で上方垂直板部１１を土台１０３に固定する。或いは、不図示の両面テープ等で上方垂直板部１１を水切り１１０の取付板部１１１に固定する等しても良い。このように、建物１００の完成後であっても、水切りカバー１を簡易に取り付けることができる。
【００３４】
次に、例えば施工中の保護用等に水切りカバー１を用いる場合の使用方法について説明する。初期状態として、図１２（ａ）に示すように、建物１００の基礎１０１、基礎パッキン１０２、土台１０３及び化粧モルタル１０６が設置されており、竪胴縁１０４等が未設置の状態である。この状態で、不図示の作業者は、水切りカバー１の下端係合部１５を水切り１１０の第１折り返し部１２３ａに係合させ（図１２（ａ）参照）、不図示のビス等で上方垂直板部１１を土台１０３に固定する（図１２（ｂ）参照）。或いは、上方垂直板部１１を固定しなくても、水切り１１０の突出部１１２の外表面１２１ａ、１２２ａに水切りカバー１の傾斜板部１２及び前板部１３を当接させておくだけでも良い。次に、作業者は、土台１０３に竪胴縁１０４等を設置する（図１２（ｃ）参照）。その際、水切りカバー１は水切り１１０からほぼ全く突出していないので、施工の妨げになることが抑制される。建物１００の完成後、作業者は、水切りカバー１を取り外す（図１２（ｄ）参照）。なお、上方垂直板部１１は、突出部１１２と外壁材１０５等との間に形成された隙間を容易に通過できる。このように、建物１００の施工中に水切りカバー１を取り付け、建物１００の完成後に水切りカバー１を取り外す作業を簡易に行うことができる。
【００３５】
以上のように、水切りカバー１の形状が、水切り１１０の突出部１１２の上面１１３ａ及び前面１１４ａと当接し、且つ、上面１１３ａ及び前面１１４ａに沿うものとなっている。これにより、突出部１１２の上面１１３ａや前面１１４ａが配置された位置から水切りカバー１がさらに突出することを抑制できる。このため、水切り１１０の外観を損ねることを抑制できるので、建物１００の完成後に、例えば補修用又はリフォーム用に水切りカバー１を用いることができる。また、建物１００の施工の際には、水切りカバー１を水切り１１０に取り付けても施工の邪魔となることを抑制できるので、例えば水切り１１０の突出部１１２の表面を護る保護用として水切りカバー１を用いることもできる。したがって、補修用、リフォーム用、保護用等に有用な水切りカバー１を提供することができる。
【００３６】
また、水切りカバー１は、突出部１１２の下端部に係合可能な下端係合部１５を有する。これにより、水切りカバー１を突出部１１２の上面１１３ａ及び前面１１４ａと当接させた状態で下端係合部１５を突出部１１２の下端部に係合させることで、建物１００が完成した後であっても、例えば補修用又はリフォーム用に、水切りカバー１を簡易に取り付けることができる。また、例えば保護用として水切りカバー１を取り付けた場合には、建物１００が完成した後に、水切りカバー１を簡易に取り外すことができる。また、水切りカバー１が水切り１１０から意図せず外れたり、前板部１３が突出部１１２の前面１１４ａから浮き上がったりすること等を抑制できる。
【００３７】
また、水切りカバー１は、突出部１１２の前面１１４ａと当接する前板部１３を有し、下端係合部１５は、前板部１３の下端部から斜め上後方へ傾斜して延びている。これにより、前板部１３と下端係合部１５とが鋭角をなすように下端係合部１５が形成されているので、下端係合部１５を突出部１１２の下端部にしっかり係合させることができる。したがって、簡易な構成で、水切りカバー１が水切り１１０から意図せず外れたり、前板部１３が突出部１１２の前面１１４ａから浮き上がったりすること等を抑制できる。
【００３８】
また、上方垂直板部１１から下板部１４に亘って、水切りカバー１を一体的に形成することができる。このため、水切りカバー１が複数の部材で形成されている場合と比べて、製造時の手間を抑制できる。また、例えば、水切り１１０が板金加工によって製造されている場合には、水切り１１０に用いられる金型と同じ金型を用いて、板金加工によって水切りカバー１を製造することができるので、製造コストを削減することができる。
【００３９】
また、下板部１４は、前後方向において底板部１２３の前端と換気孔１２３ｄとの間に配置された、第１折り返し部１２３ａに係合可能となっている。これにより、下板部１４の長さを適切にすることで、下板部１４が複数の換気孔１２３ｄを覆ってしまうことを防止できる。したがって、水切り１１０の通気機能等を阻害することなく、水切りカバー１を水切り１１０に取り付けることができる。
【００４０】
次に、前記実施形態に変更を加えた変形例について説明する。但し、前記実施形態と同様の構成を有するものについては、同じ符号を付して適宜その説明を省略する。
【００４１】
（１）水切りカバーのサイズ及び形状は、前記実施形態において説明したものに限られない。すなわち、水切りカバーの各部のサイズや角度等は、水切り１１０の形状に応じて変更可能である。以下、一例として、図１３〜図１９を用いて、水切りカバー２について説明する。
【００４２】
図１３及び図１４に示すように、水切りカバー２は、上方垂直板部２１と、傾斜板部２２と、前板部２３と、下板部２４とを有する。水切りカバー２の延在方向（方向Ａ）における長さは、例えば２０００ｍｍである。水切りカバー２を構成する板金の厚みは、例えば０．３５ｍｍである。また、方向Ａから見たとき（図１４参照）の寸法の一例について説明する。上方垂直板部２１の上下方向における長さＬ２１は、例えば１０ｍｍである。傾斜板部２２の上下方向における長さＬ２２は、例えば１３．７ｍｍである。前板部２３の上下方向における長さＬ２３は、例えば１９．７ｍｍである。下板部２４の長さＬ２４は、例えば５．５ｍｍである。傾斜板部２２の前後方向における長さＬ２５は、例えば４５ｍｍである。また、上方垂直板部２１と傾斜板部２２とのなす角θ２１の大きさは、例えば１０７°である。傾斜板部２２と前板部２３とのなす角θ２２の大きさは、例えば１０６°である。前板部２３と下板部２４とのなす角θ２３の大きさは、例えば８０°である。なお、参照用に、水切りカバー２の正面図（図１５参照）、背面図（図１６参照）、平面図（図１７参照）、底面図（図１８参照）、及び、右側面図（図１９参照）をそれぞれ示す。左側面図（図示省略）は、右側面図と対称である。
【００４３】
（２）前記までの実施形態において、水切りカバー１は１枚の板金で形成されているものとしたが、水切りカバー１を構成する部材の数や材質は、これには限られない。例えば、水切りカバー１は、２以上の金属板から形成されていても良い。或いは、水切りカバー１は、例えば樹脂等で形成されていても良い。
【００４４】
（３）前記までの実施形態において、水切りカバー１の下端係合部１５は、前板部１３の下端部から斜め上後方へ傾斜して延びているものとしたが、これには限られない。例えば、下端係合部１５が真っ直ぐ後方へ延び、或いは斜め下後方へ傾斜して延びていても良い。この場合、下端係合部１５を確実に突出部１１２の下端部に係合させるために、例えば、下端係合部１５が不図示の爪を有しており、上記爪を係合させるための係合孔（不図示）が突出部１１２の下端部に形成されていても良い。
【００４５】
（４）前記までの実施形態において、水切りカバー１は下端係合部１５を有するものとしたが、これには限られない。下端係合部１５は、必ずしも形成されていなくても良い。
【符号の説明】
【００４６】
１          水切りカバー
１１        上方垂直板部
１２        傾斜板部
１３        前板部
１４        下板部
１５        下端係合部
１１０      水切り
１１１      取付板部
１１２      突出部
１１３ａ    上面
１１４ａ    前面
１２１      雨水案内板部
１２１ａ    外表面
１２２      前垂れ板部
１２２ａ    外表面
１２３      底板部
１２３ｄ    換気孔（貫通孔）
【図１】
2019163610.tif 000003
【図２】
2019163610.tif 000004
【図３】
2019163610.tif 000005
【図４】
2019163610.tif 000006
【図５】
2019163610.tif 000007
【図６】
2019163610.tif 000008
【図７】
2019163610.tif 000009
【図８】
2019163610.tif 000010
【図９】
2019163610.tif 000011
【図１０】
2019163610.tif 000012
【図１１】
2019163610.tif 000013
【図１２】
2019163610.tif 000014
【図１３】
2019163610.tif 000015
【図１４】
2019163610.tif 000016
【図１５】
2019163610.tif 000017
【図１６】
2019163610.tif 000018
【図１７】
2019163610.tif 000019
【図１８】
2019163610.tif 000020
【図１９】
2019163610.tif 000021